(57)【要約】【課題】身体がいかなる大きさの被験者にも心電図の計測電極を適切に速やかに取り付けることを可能にするような心電計測布を提供する。【解決手段】被験者に装着して心電図を計測するための複数の計測電極を含む心電計測布であって、前記計測電極が導電性糸により形成されており、計測電極を所定の位置に配置する電極配置部が一枚の布帛に含まれており、かつ複数の計測電極のうち少なくともいずれかの計測電極で心電図を計測可能である。【選択図】図１
2019088438.tif 000002
【特許請求の範囲】
【請求項１】
被験者に装着して心電図を計測するための複数の計測電極を含む心電計測布であって、前記計測電極が導電性糸により形成されており、計測電極を所定の位置に配置する電極配置部が一枚の布帛に含まれており、かつ複数の計測電極のうち少なくともいずれかの計測電極で心電図を計測可能であることを特徴とする心電計測布。
【請求項２】
前記電極配置部は心電計に接続される端子部をさらに含み、前記計測電極のうちの１つ以上の計測電極と前記端子部間の回路の導通および非導通を切り替えることができるセレクタを備える、請求項１に記載の心電計測布。
【請求項３】
前記計測電極と前記端子部間の回路の配線が導電性糸の導線を含む、請求項２に記載の心電計測布。  
【請求項４】
被験者の腋下と高さを合わせることにより位置合わせする第１の位置基準部と、被験者の正中線に合わせることにより位置合わせする第２の位置基準部を含む、請求項１〜３のいずれかに記載の心電計測布。
【請求項５】
前記一枚の布帛は、導電性糸および非導電性糸からジャカード織機により作製された平織組織の織物である、請求項１から４のいずれかに記載の心電計測布。
【請求項６】
前記導電性糸および非導電性糸は、撚糸糸条である、請求項５に記載の心電計測布。
【請求項７】
導電性粘着ゲルを計測電極に塗布してなる、請求項１〜６のいずれかに記載の心電計測布。
【請求項８】
シートを導電性粘着ゲル塗布面に貼布してなる、請求項７に記載の心電計測布。
【請求項９】
装着時に前記シートを剥離することができる、請求項８に記載の心電計測布。
【請求項１０】
被験者の身体前面に当接して使用することができる、請求項１〜９のいずれかに記載の心電計測布。
【請求項１１】
前記電極配置部は、標準１２誘導法による６個の胸部電極に相当する計測電極を含む、請求項１〜１０のいずれかに記載の心電計測布。
【請求項１２】
前記電極配置部は、標準１２誘導法による４個の四肢電極に相当する計測電極を含む、請求項１〜１１のいずれかに記載の心電計測布。
【請求項１３】
前記電極配置部は、標準１２誘導法による１０個の電極に相当する計測電極を含む、請求項１〜１２のいずれかに記載の心電計測布。
【請求項１４】
前記計測電極のうちの１つ以上の計測電極と前記端子部間の回路の導通および非導通を２パターン以上に切り替えることができるセレクタを備える、請求項２〜１３のいずれかに記載の心電計測布。
【請求項１５】
計測電極の数が１５個以上である、請求項１〜１４のいずれかに記載の心電計測布。
【請求項１６】
前記計測電極のうちの９個以上の計測電極と前記端子部間の回路の導通および非導通を切り替えることができるセレクタを備える、請求項１５に記載の心電計測布。
【発明の詳細な説明】
【技術分野】
【０００１】
本発明は、心電図を計測するための計測電極を提供する心電計測布に関する。
【背景技術】
【０００２】
従来、虚血性心疾患においては、救命率を向上させるため、発症から速やかに経皮的冠動脈形成術（ｐｅｒｃｕｔａｎｅｏｕｓ  ｃｏｒｏｎａｒｙ  ａｎｇｉｏｐｌａｓｔｙ：ＰＣＡ）を施す必要があることが知られている。例えば、ＳＴ型上昇心筋梗塞（ＳＴ−ｓｅｇｍｅｎｔ  ｅｌｅｖａｔｉｏｎ  ｍｙｏｃａｒｄｉａｌ  ｉｎｆａｒｃｔｉｏｎ：ＳＴＥＭＩ）の場合には、救急搬送の１０分以内に１２誘導心電図により診断し、ＰＣＡを施行する医療機関に搬送することが望まれる。このためには、被験者に心電計の計測電極を速やかに適切に取り付けることが必要である。
【０００３】
一方、西陣織の技術によりジャカード織機を用いて導電性糸及び非導電性糸を綴れ織りし、一枚の布帛に電極及び配線を一体に形成する技術が提案されている（特許文献１、２）。また、その技術を利用し、複数の計測電極を所定の位置に配置する電極配置部と、前記電極配置部を被験者の所定の位置に固定する保持部とを一枚の布帛に一体に含んだ心電計測布が提供されている（特許文献３）。
【先行技術文献】
【特許文献】
【０００４】
【特許文献１】特開２０１１−１５８１７号公報
【特許文献２】特開２０１１−１５８１８号公報
【特許文献３】特開２０１６−１５８７０９号公報
【発明の概要】
【発明が解決しようとする課題】
【０００５】
従来の心電計測布は診断に必要な数の計測電極が固定されて配置されており、被験者の身体の大きさによっては、身体の適切な位置に電極が当接せず、適切な計測が行われないため、被験者の身体の大きさに合わせたサイズの計測布を複数準備しておくことが必要であった。複数の計測布を準備しておくには、保管するスペースが必要であると同時に、計測時に、一旦装着した計測布のサイズが被験者の身体の大きさに合わなかった場合、別のサイズの計測布を装着し直す必要があり、速やかに計測を行うことができないおそれがあった。
【０００６】
本発明は、上述の実情に鑑みて提案されるものであって、身体がいかなる大きさの被験者にも心電図の計測電極を適切に速やかに取り付けることを可能にするような心電計測布を提供することを目的とする。
【課題を解決するための手段】
【０００７】
本発明者らは上記の課題を達成するため鋭意検討した結果、複数の計測電極のうちの１つ以上の計測電極と端子部間の回路の導通および非導通を切り替えることができるセレクタを備えることにより、その心電計測布を被験者の身体に装着した際に、身体がいかなる大きさの被験者でも心電計測を行うことが可能であることを見出し、さらに鋭意検討を重ねることにより本発明を完成するに至った。
【０００８】
かくして本発明によれば、「被験者に装着して心電図を計測するための複数の計測電極を含む心電計測布であって、前記計測電極が導電性糸により形成されており、計測電極を所定の位置に配置する電極配置部が一枚の布帛に含まれており、かつ複数の計測電極のうち少なくともいずれかの計測電極で心電図を計測可能であることを特徴とする心電計測布。」が提供される。
【０００９】
その際、前記電極配置部は心電計に接続される端子部をさらに含み、前記計測電極のうちの１つ以上の計測電極と前記端子部間の回路の導通および非導通を切り替えることができるセレクタを備えることが好ましい。また、前記計測電極と前記端子部間の回路の配線が導電性糸の導線を含むことが好ましい。また、被験者の腋下と高さを合わせることにより位置合わせする第１の位置基準部と、被験者の正中線に合わせることにより位置合わせする第２の位置基準部を含むことが好ましい。また、前記一枚の布帛は、導電性糸および非導電性糸からジャカード織機により作製された平織組織の織物であることが好ましい。また、前記導電性糸および非導電性糸は、撚糸糸条であることが好ましい。また、導電性粘着ゲルを計測電極に塗布してなることが好ましい。また、シートを導電性粘着ゲル塗布面に貼布してなることが好ましい。また、装着時に前記シートを剥離することができることが好ましい。また、被験者の身体前面に当接して使用することができることが好ましい。また、前記電極配置部は、標準１２誘導法による６個の胸部電極に相当する計測電極を含むことが好ましい。また、前記電極配置部は、標準１２誘導法による４個の四肢電極に相当する計測電極を含むことが好ましい。また、前記電極配置部は、標準１２誘導法による１０個の電極に相当する計測電極を含むことが好ましい。また、前記計測電極のうちの１つ以上の計測電極と前記端子部間の回路の導通および非導通を２パターン以上に切り替えることができるセレクタを備えることが好ましい。また、計測電極の数が１５個以上であることが好ましい。また、前記計測電極のうちの９個以上の計測電極と前記端子部間の回路の導通および非導通を切り替えることができるセレクタを備えることが好ましい。
【発明の効果】
【００１０】
本発明によると、心電図の計測電極を身体がいかなる大きさの被験者にも適切に速やかに装着することができる。ひいては、救急搬送における１２誘導心電図などによる診断を可能にすることにより、虚血性心疾患を発症した患者の救命に貢献することができる。
【図面の簡単な説明】
【００１１】
【図１】実施の形態の心電計測布の正面図を示す図面代用写真である。
【図２】実施の形態の心電計測布の背面図を示す図面代用写真である。
【図３】実施の形態のセレクタを示す図面代用写真である。
【発明を実施するための形態】
【００１２】
以下、実施の形態に係る心電計測布について図面を参照して詳細に説明する。なお、図面において示す心電計測布の寸法、使用態様等は一例を示すものであり、本発明はかかる例や図面の内容に限定されるものではない。
【００１３】
（実施の形態）
実施の形態は、被験者に装着して心電図を計測するための計測電極を含む心電計測布であって、計測電極は導電性糸により形成されており、計測電極を所定の位置に配置する電極配置部が一枚の布帛に含まれており、かつ複数の計測電極のうち少なくともいずれかの計測電極で心電図を計測可能である。
【００１４】
ここで、計測電極の数としては１５個以上（より好ましくは１５〜２０個）であることが好ましい。また、前記電極配置部は、標準１２誘導法による６個の胸部電極に相当する計測電極を含むことが好ましい。また、前記電極配置部は、標準１２誘導法による４個の四肢電極に相当する計測電極を含むことが好ましい。また、前記電極配置部は、標準１２誘導法による１０個の電極に相当する計測電極を含むことが好ましい。
【００１５】
図１、図２は、実施の形態の心電計測布を示す図（計測電極の数が１５個の例）である。図１は心電計測布１０の正面図（被験者の身体に当接する面）であり、図２は心電計測布１０の背面図である。
【００１６】
実施の形態の心電計測布１０は、一枚の布帛によって形成されている。この布帛は平織組織の織物であり、西陣織の技術によりジャカード織機を用いて導電撚糸（導電撚糸糸条）および非導電撚糸（非導電撚糸糸条）から綴れ織りし、導電撚糸が電極および配線の所定のパターンを形成するように非導電撚糸に折り込んだものである。
【００１７】
実施の形態では、導電撚糸に直径１００μｍの銀メッキ繊維を用い、非導電撚糸に５５〜５５０ｄｔｅｘのポリエステルまたはレーヨン繊維を用いている。
【００１８】
心電計測布１０は、被験者の身体に当接する面において、布帛の長手方向に一端から他端までが複数の計測電極２１を配置した電極配置部１１を構成している。
【００１９】
電極配置部１１には、所定の位置に導電撚糸による計測電極２１１〜１５が形成されている。これらの計測電極２１の内、第５〜１５計測電極２１５〜１５は、標準１２誘導法で規定された６個の胸部電極に対応しており、第１、２、３、４計測電極２１１、２、３、４は標準１２誘導法で規定された四肢電極に相当するものであり、電極配置部１１において、被験者の前面に対応する部分の四端近くに形成されている。撚糸糸条による配線２３によって接続され、第１〜１５計測電極２１１〜１５で計測した電圧を出力する端子部２５が設けられている。端子部２５は、セレクタと一体化しており、心電計と接続できるように、例えばスナップなどの所定の規格を採用している。
【００２０】
ここで、前記セレクタは、前記計測電極のうちの９個以上（より好ましくは９〜２０個）の計測電極と前記端子部間の回路の導通および非導通を切り替えることができることが好ましい。
【００２１】
実施の形態の計測電極２１１〜１５には導電性粘着ゲルが塗布されており、さらにポリエチレン製のフィルムを心電計測布１０の被験者の身体に当接する面に貼りつけられている。使用前にそのフィルムを剥離する。
【００２２】
また、心電計測布１０のの被験者の身体に当接する面の電極配置部１１における略中央には、この心電計測布１０の長手方向に直交して上端から下端まで伸びる基準線による第２の位置基準部３２が形成されている。この第２の位置基準部３２は、心電計測布１０を被験者に装着するとき正中線に合わせる基準線となるように、目視により識別できるように綴織や印刷によって形成することができる。
【００２３】
心電計測布１０は、第１の位置基準部３１を被験者の腋下の高さに合わせるとともに、第２の位置基準部３２の基準線を被験者の正中線に合わせることにより、被験者１に対する位置合わせをすることができる。この位置合わせによって、第５〜１５計測電極２１５〜１５が標準１２誘導法で規定された胸部電極の位置に所定の位置精度を有して適切に取り付けられる。また、第１〜４計測電極２１１〜４も標準１２誘導法で規定された四肢電極に相当するように四肢に近く取り付けられる。
【００２４】
計測電極２１はジャカード織機により作製され、略矩形の形状になるように、平織の布帛において非導電撚糸中に導電撚糸糸条により形成されたものである。さらに、計測電極２１は、写真には表れていない導電撚糸糸条による導線の配線２３を含む配線で接続されており、さらにセレクタ４１およびそれに備わった端子部２５に接続されている。
【００２５】
このように実施の形態の心電計測布１０は、標準１２誘導電極法で規定された計測電極２１を被験者の適切な位置に取り付けることが容易にできるようになる。したがって、第１の実施の形態の心電計測布１０は、救急搬送などの救急現場において心電図の電極の適切な取り付けを速やかに行うことを可能とし、ひいては虚血性心疾患の患者の心電図に基づいた診断による救命率の向上に貢献することができる。
【００２６】
さらに、実施の形態の心電計測布１０は、平織組織の織物に形成されたものであり、形態安定性を高め、布帛でありながら電極の位置関係が布の伸縮によって大幅に代わることがない構造としている。
【００２７】
さらにまた、実施の形態の心電計測布１０は、非導電撚糸の布帛の中に導電撚糸による計測電極２１および配線２３が折り込まれ、導電撚糸は非導電撚糸により適度に電気的に遮蔽されている。したがって、外部からのノイズなどの影響が抑制され、計測電極２１からの微弱な生体信号を的確に捉えることができる。
【００２８】
実施の形態の心電計測布１０は、西陣織の技術によりジャカード織機を用いた綴れ織りにより導電撚糸および非導電撚糸を用いて平織に作製したものである。ジャカード織機の製造工程を利用することによって、様々な体のサイズに合わせた多品種少量製品を工業的に安定して逓増することができる。
【００２９】
なお、本発明はこれにジャカード織機を用いた平織織物に限定されない。綾織、朱子織など他の織物組織を使用することもできる。また、導電撚糸および非導電撚糸に限られず、導電性糸および非導電性糸を使用することもできる。
【００３０】
実施の形態において、導電撚糸に銀メッキ繊維を使用したが、本発明はこれに限定されない。導電撚糸は、例えば、金、銀、銅、ステンレス等の金属繊維、カーボン、チタン、アルミナなどの無機繊維、ポリアニリン、ポリアセチレン等の導電性ポリマー、硫化銅およびニッケルを含有したアクリル、ナイロンまたはポリエステル繊維などから作製することができる。
【００３１】
実施の形態において、非導電撚糸にはポリエステルまたはレーヨン繊維を使用したが、本発明はこれに限定されない。非導電撚糸は、例えば、綿、絹、アクリル、ナイロン繊維などから作製することができる。
【００３２】
実施の形態において、銀メッキ繊維による導電撚糸は直径１００μｍ、ポリエステルまたはレーヨンによる非導電撚糸は５５〜５５０ｄｔｅｘとしたが、本発明はこれに限定されない。銀メッキ繊維による導電撚糸は直径２０μｍ〜２４０μｍ、ポリエステルまたはレーヨンによる非導電撚糸は５５〜１１００ｄｔｅｘの範囲とすることができる。
【００３３】
実施の形態において、計測電極は略矩形の形状であったが、本発明はこれに限定されない。例えば、矩形、正方形、楕円形、同心円等の各種の所望の形状にすることができる。
【００３４】
実施の形態においては標準１２誘導電極法による１２誘導心電図を用いたが、本発明はこれに限られず、他の方式の心電計を利用することもできる。
【００３５】
実施の形態において、前記布帛の装着方法は被験者の身体前面に装着したが、本発明はこれに限定されない。しかし、被験者の身体前面に装着する場合、仰臥位の被験者の上にそのまま置くことで装着することが可能であり、被験者の意識がない状態でも速やかに装着することができ好ましい。
【００３６】
実施の形態において、装着時に被験者の身体に前記布帛を当接させる際の手段は粘着剤を用いたが、本発明はこれに限定されず、ベルトや面ファスナーなどを用いて締付けによって当接させてもよい。しかし、粘着剤を用いる際に、導電性粘着ゲルを計測電極に塗布しておくと、その粘着性を利用して前記布帛を被験者の身体へ当接させると同時に、計測電極と身体とを低インピーダンスで安定的に電気的に接続することができ、前記布帛の装着後、速やかにかつ安定的に計測を行うことができるので好ましい。
【００３７】
粘着剤を用いた場合は、前記粘着剤の乾燥による粘着剤低下を抑制するため、前記布帛を使用しない間は、その表面をシートで被覆しておくことが好ましい。前記被覆シートの形状、大きさおよび材質は特に限定されるものではないが、粘着剤を被覆するのに十分な形状および大きさであることが好ましい。前記被覆シートの素材は特に限定されないが、剥離が容易な樹脂製のフィルムなどが好ましい。
【００３８】
前記セレクタの形状、大きさ、材質は特に限定されないが、操作しやすいようにスイッチの大きさは指の太さより大きい幅を有することが好ましい。また前記セレクタは、操作の途中で被験者の身体に衝突した際の衝撃が低減されるように、角が取られており、軽量である樹脂製であることが好ましい。
【００３９】
実施の形態において、前記計測電極のうちの１つ以上の計測電極と前記端子部間の回路の導通および非導通を４パターンに切り替えることができるセレクタを備えていたが、本発明において切り替えのパターン数は限定されず、２以上（より好ましくは２〜１０）である。しかし、多様な被験者の身体の大きさに対応することができ、かつ、被験者の身体を目視して速やかに分類を判断することができる４パターンが好ましい。４チャンネルの場合、一般的な衣服のサイズの分類であるＬＬ、Ｌ、Ｍ、Ｓという指標にそれぞれのチャンネルを割り振ることができる。
【００４０】
前記布帛は、しかし、特に女性の被験者の胸部の膨らみ部分に前記布帛が当たり、前記計測電極と身体の間の密着性が損なわれ、計測に影響を及ばさないようにするために、前記電極部分を損なわない範囲で、胸部に当たる部分の面積を小さくすることが好ましい。
【００４１】
前記布帛の、胸部に当たる部分の面積を小さくする手段は特に限定されないが、切断が好ましい。
【産業上の利用可能性】
【００４２】
本発明は、虚血性心疾患の心電計を用いた診断などの医療分野に利用することができる。
【符号の説明】
【００４３】
１０  心電計測布
１１  電極配置部
２１  計測電極
２３  配線
２５  端子部
３１  第１の位置基準部  
３２  第２の位置基準部
４１  セレクタ
【図１】
2019088438.tif 000003
【図２】
2019088438.tif 000004
【図３】
2019088438.tif 000005